(57)【要約】【課題】小型で低域の周波数応答を改善すると共に、近接効果を低減したコンデンサマイクロホンユニットを提供すること。【解決手段】音波を受けて振動する振動板６と、前記振動板に対向配置された固定極７と、前記固定極を支持して固定極との間に背部空気室８ｂを形成する絶縁座８と、前記絶縁座に取り付けられて前記固定極に生成される信号電圧を引き出す金属製の固定極引出し端子９とが、ユニットケース２内に配置される。前記ユニットケース２には、前記振動板６の前面側に前部音響端子孔３が形成されると共に、前記背部空気室８ｂに連通して後部音響端子孔４が備えられ、かつ前記固定極引出し端子９には、前記背部空気室８ｂと第２空気室１６とを連通させる細径の連通路９ａ，９ｂが形成されている。【選択図】図１
2018032895.tif 000002
【特許請求の範囲】
【請求項１】
音波を受けて振動する振動板と、前記振動板に対向配置された固定極と、前記固定極を支持して固定極との間に背部空気室を形成する絶縁座と、前記絶縁座に取り付けられて前記固定極に生成される信号電圧を引き出す金属製の固定極引出し端子とが、ユニットケース内に配置され、
前記ユニットケースには、前記振動板の前面側に前部音響端子孔が形成されると共に、前記背部空気室に連通して後部音響端子孔が備えられ、
前記ユニットケース内には、前記背部空気室とは別の第２空気室を備え、
前記固定極引出し端子には、前記背部空気室と第２空気室とを連通させる連通路が形成されていることを特徴とする単一指向性コンデンサマイクロホンユニット。
【請求項２】
前記固定極引出し端子は柱状に形成されると共に、軸方向に沿って軸孔もしくは溝孔が施され、前記軸孔もしくは溝孔が、前記背部空気室と前記第２空気室とを連通させる連通路を構成していることを特徴とする請求項１に記載の単一指向性コンデンサマイクロホンユニット。
【請求項３】
前記固定極引出し端子は円柱状に形成されると共に、円柱面に沿って螺旋状の溝孔が施され、前記螺旋状の溝孔が、前記背部空気室と前記第２空気室とを連通させる連通路を構成していることを特徴とする請求項１に記載の単一指向性コンデンサマイクロホンユニット。
【請求項４】
前記固定極引出し端子には、前記背部空気室と前記第２空気室とを連通させる複数の連通路が形成されていることを特徴とする請求項１ないし請求項３のいずれか１項に記載の単一指向性コンデンサマイクロホンユニット。
【請求項５】
前記背部空気室と後部音響端子孔との間に、第１音響抵抗体が配置されていることを特徴とする請求項１ないし請求項４のいずれか１項に記載の単一指向性コンデンサマイクロホンユニット。
【請求項６】
前記背部空気室と第２空気室との間に、第２音響抵抗体が配置されていることを特徴とする請求項１ないし請求項５のいずれか１項に記載の単一指向性コンデンサマイクロホンユニット。
【請求項７】
前記第２音響抵抗体はドーナツ状に形成されて、中心孔に前記固定極引出し端子が挿入されることで取り付けられ、前記固定極引出し端子に螺合するアジャストリングと前記絶縁座との間で、前記第２音響抵抗体の音響抵抗値が可変可能に構成されていることを特徴とする請求項６に記載の単一指向性コンデンサマイクロホンユニット。
【発明の詳細な説明】
【技術分野】
【０００１】
この発明は、小型にして低域の周波数応答を改善することができると共に、近接効果による低域の指向性の低下を軽減することができる単一指向性コンデンサマイクロホンユニットに関する。
【背景技術】
【０００２】
単一指向性マイクロホンは、ユニットの前方と後方、すなわち振動板の前面側と背面側にそれぞれ音波を取り込むための開口が施される。これにより、ユニットの前方に前部音響端子が形成され、ユニットの後方に後部音響端子が形成されて、前後の音響端子に加わる音圧の差によって振動板が駆動される。
【０００３】
なお音響端子とは、マイクロホンユニットに対して、実効的に音圧を与える空気の位置を指し、マイクロホンユニットが備える振動板と同時に動く空気の中心位置と言うことができる。したがって、単一指向性コンデンサマイクロホンユニットの場合、音響端子は前記したとおり振動板の前面側と背面側の前記開口（音響端子孔）付近に存在する。
【０００４】
ところで、前記した単一指向性コンデンサマイクロホンにおいては、後部音響端子に加わる双指向性成分による近接効果によって、低域の指向性が低下するという技術的な課題を有している。
図１１は、近接効果の例を示すものであり、これは従来の一般的な単一指向性コンデンサマイクロホンの周波数応答特性を示している。すなわち横軸は周波数を縦軸は出力レベル（ｄＢＶ）を示している。そして、特性Ａは収音軸に対して０度、すなわち正面から音波が到来する場合、特性Ｂは９０度、すなわち真横から音波が到来する場合、特性Ｃは１８０度、すなわち後ろから音波が到来する場合の各特性を示している。
【０００５】
図１１から理解できるように、特性Ｂ（９０度）と特性Ｃ（１８０度）は、低域において交差し、より低域になると特性Ｃ（１８０度）は特性Ａ（０度）に接近している。これは、近接効果により低域の指向性が低下した状態を示すものであり、低域の周波数応答を改善するための一つの課題は、近接効果を無くすことである。
この場合、単一指向性コンデンサマイクロホンにおいては、低域における指向性を無指向性寄りに調整すれば、低域における特性の低下を保障することができる。
【０００６】
そこで、従来における単一指向性コンデンサマイクロホンにおいては、低域の周波数応答を改善する第１の手段として、２つの単一指向性コンデンサマイクロホンユニットを前後に背中合わせに配置し、その両者を音響的に結合した構造とする提案（特許文献１，２）がなされている。この構造のコンデンサマイクロホンによると、２つのコンデンサマイクロホンユニットにそれぞれ加わる成極電圧を制御することにより低域の周波数を含めた指向性を調整することができる。
【０００７】
しかしながら、この構造のコンデンサマイクロホンによると、前後に背中合わせに配置された２つのユニットの各振動板の直前に、前後の音響端子がそれぞれ形成されることになる。したがって、前後の音響端子間の距離が一つのマイクロホンユニットの２倍になるために、マイクロホンユニットの全体構成が大型化せざるを得ないものとなる。
【０００８】
また、単一指向性コンデンサマイクロホンにおいて、低域の周波数応答を改善する第２の手段として、マイクロホンユニットの背部空気室に音響抵抗体を介して第２の空気室を連通させた構造とする提案（特許文献３，４）もなされている。
【０００９】
図８は、例えば特許文献４に開示されたマイクロホンユニットの基本構成を示すものである。このマイクロホンユニット２０は、その前面に前部音響端子孔となる複数の開口３を備え、側面に後部音響端子孔となる複数の開口４を備えた円筒状のユニットケース２が、外郭を構成している。
そして、ユニットケース２内において、対向する振動板６と固定極７が、その背面に配置された絶縁座８によって支持され、固定極７と絶縁座８との間に背部空気室８ｂが形成されている。さらに、背部空気室８ｂは絶縁座８に形成された連通孔８ｃおよび第１音響抵抗体１３を介して後部音響端子孔として機能する開口４側に連通している。また、背部空気室８ｂは絶縁座８に軸方向に形成された透孔８ｅおよび第２音響抵抗体１８を介して第２空気室１６に連通している。
【００１０】
第２音響抵抗体１８は、金属製の固定極引出し端子９に螺合するアジャストリング１７の圧着を受けて、音響抵抗値が可変されるように構成されている。したがって、アジャストリング１７の回動操作による第２音響抵抗体１８の音響抵抗値の調整により、単一指向性コンデンサマイクロホンユニット２０における低域の周波数応答を適正な状態に設定することができる。
【００１１】
図９は、図８に示したコンデンサマイクロホンユニット２０の音響的な等価回路を示しており、この等価回路を構成する各素子は以下のように定義することができる。
Ｐ１：前部音響端子（開口３）側からの音波の音圧
Ｐ２：後部音響端子（開口４）側からの音波の音圧
ｍ０：振動板６の質量
ｓ０：振動板６のスチフネス
ｒ０：振動板６の前側の音響抵抗
ｒ１：第１音響抵抗体１３の音響抵抗
ｓ１：背部空気室８ｂのスチフネス
ｒ２：第２音響抵抗体１８の音響抵抗
ｓ２：第２空気室１６のスチフネス
【００１２】
図９に示す等価回路においては、一般の単一指向性コンデンサマイクロホンの等価回路に比較して、ｒ２およびｓ２が加わっている。
すなわち、背部空気室８ｂのスチフネスｓ１に、背部空気室８ｂと第２空気室１６との間の音響抵抗体１８の音響抵抗ｒ２、および第２空気室１６のスチフネスｓ２の直列回路が、並列に付加されている点で、一般の単一指向性コンデンサマイクロホンの等価回路と異なる。
【００１３】
この音響抵抗ｒ２とスチフネスｓ２が付加されている図８および図９に示す単一指向性コンデンサマイクロホンの周波数応答特性を、図１０に例示している。なお、図１０に示す周波数応答特性はすでに説明した図１１に示す例と同様であり、特性Ａ〜Ｃは、収音軸に対するそれぞれの角度が０度、９０度、１８０度の特性を示している。
【先行技術文献】
【特許文献】
【００１４】
【特許文献１】特開平７−１４３５９５号公報
【特許文献２】特開２０１１−５５０６２号公報
【特許文献３】特開２０１０−１３６０４４号公報
【特許文献４】実公平６−４６１５８号公報
【発明の概要】
【発明が解決しようとする課題】
【００１５】
ところで、コンデンサマイクロホンユニットの背部空気室８ｂに音響抵抗体（第２音響抵抗体１８）を介して第２空気室１６を連通させた図８に示すコンデンサマイクロホンユニット２０によると、振動板６の背面側に加わる低域成分が、後部音響端子孔４側からの双指向性成分に、第２空気室１６側の無指向性成分の作用も加わることになる。これにより双指向性成分に対する無指向性成分の割合が増加し、低域における指向性を無指向性寄りに制御することができる。
これにより、図１１に示す特性に比較して図１０に示すように、近接効果による低域の指向性の低下が改善されていることが認められる。
【００１６】
しかしながら、図８に示すコンデンサマイクロホンによると、第２空気室１６の容積をある程度以下に小さくすると、第２空気室１６の無指向性成分の共振周波数が高くなり、例えば１ＫＨｚ程度の中域の周波数特性に影響を与えるという問題が生ずる。
この様な理由から特許文献３および４に開示された単一指向性コンデンサマイクロホンにおいても、第２空気室の容積をある程度確保する必要があり、マイクロホンユニットの全体構成は大型化せざるを得ないものとなる。
【００１７】
したがって、この発明が解決しようとする主要な課題は、小型にして低域の周波数応答を改善することができ、近接効果による低域の指向性の低下を軽減させた単一指向性コンデンサマイクロホンユニットを提供することにある。
【課題を解決するための手段】
【００１８】
前記した課題を解決するためになされたこの発明に係る単一指向性コンデンサマイクロホンユニットは、音波を受けて振動する振動板と、前記振動板に対向配置された固定極と、前記固定極を支持して固定極との間に背部空気室を形成する絶縁座と、前記絶縁座に取り付けられて前記固定極に生成される信号電圧を引き出す金属製の固定極引出し端子とが、ユニットケース内に配置され、前記ユニットケースには、前記振動板の前面側に前部音響端子孔が形成されると共に、前記背部空気室に連通して後部音響端子孔が備えられ、
前記ユニットケース内には、前記背部空気室とは別の第２空気室を備え、前記固定極引出し端子には、前記背部空気室と第２空気室とを連通させる連通路が形成されていることを特徴とする。
【００１９】
この場合、一つの好ましい形態においては、前記固定極引出し端子は柱状に形成されると共に、軸方向に沿って軸孔もしくは溝孔が施され、前記軸孔もしくは溝孔が、前記背部空気室と前記第２空気室とを連通させる連通路とする構成が採用される。
また、好ましい他の形態においては、前記固定極引出し端子は円柱状に形成されると共に、円柱面に沿って螺旋状の溝孔が施され、前記螺旋状の溝孔が、前記背部空気室と前記第２空気室とを連通させる連通路とする構成が採用される。
そして、前記固定極引出し端子には、前記背部空気室と前記第２空気室とを連通させる複数の連通路が形成した構成を採用することができる。
【００２０】
加えて、前記背部空気室と後部音響端子孔との間には、第１音響抵抗体が配置され、前記背部空気室と第２空気室との間には、第２音響抵抗体が配置されていることが望ましい。そして、前記第２音響抵抗体はドーナツ状に形成されて、中心孔に前記固定極引出し端子が挿入されることで取り付けられ、前記固定極引出し端子に螺合するアジャストリングと前記絶縁座との間で、前記第２音響抵抗体の音響抵抗値が可変可能に構成されていることが望ましい。
【発明の効果】
【００２１】
前記した構成の単一指向性コンデンサマイクロホンユニットによると、固定極に生成される信号電圧を引き出す金属製の固定極引出し端子を利用して、固定極の背部空気室と、第２空気室とを連通させる連通路が形成される。
この連通路は、固定極引出し端子の軸方向に沿って施された軸孔または溝孔により、さらには円柱面に沿って施された螺旋状の溝孔により形成される。
【００２２】
このように金属製の固定極引出し端子に施される連通路は、図８に示した樹脂製の絶縁座に軸方向に形成した透孔に比較して、より細径となるように精密加工を施すことができ、これは背部空気室と第２空気室との間に介在して、音響質量（イナータンス）として有効に作用する。
【００２３】
したがって、前記した音響質量と第２空気室のスチフネスとにより構成されるローパスフィルタは、その遮断周波数を下げることができ、これにより第２空気室に入る低域成分の周波数（共振点）は下がることになる。この結果、中域の周波数応答に影響を与えることなく、低域の周波数応答を改善したコンデンサマイクロホンユニットを提供することが可能となる。
【図面の簡単な説明】
【００２４】
【図１】この発明に係るコンデンサマイクロホンユニットの第１の形態を示した中央断面図である。
【図２】同じく第２の形態を示した中央断面図である。
【図３】同じく第３の形態を示した中央断面図である。
【図４】固定極引出し端子に施される連通路の好ましい形態を示した模式図である。
【図５】この発明に係るコンデンサマイクロホンユニットの音響的な等価回路図である。
【図６】この発明に係る他の形態のコンデンサマイクロホンユニットの音響的な等価回路図である。
【図７】図１に示すコンデンサマイクロホンユニットの周波数応答特性を示すグラフである。
【図８】従来のコンデンサマイクロホンユニットの中央断面図である。
【図９】図８に示すコンデンサマイクロホンユニットの音響的な等価回路図である。
【図１０】図８に示すコンデンサマイクロホンユニットの周波数応答特性を示すグラフである。
【図１１】一般的なコンデンサマイクロホンユニットの周波数応答特性を示すグラフである。
【発明を実施するための形態】
【００２５】
この発明に係る単一指向性コンデンサマイクロホンユニットについて、図に示す実施の形態に基づいて説明する。
図１は第１の実施の形態を示しており、このコンデンサマイクロホンユニット１は、その前面側に複数の開口３を備えた円筒状のユニットケース２が、外郭を構成している。そして、ユニットケース２の側面にも複数の開口４が施されており、前面の開口３が前部音響端子孔を構成し、側面側の開口４が後部音響端子孔を構成している。
【００２６】
また、ユニットケース２内の前面側には、その周囲が支持リング５に取り付けられた振動板６が配置され、この振動板６の背面に僅かな隙間を介して固定極７が対向して配置されている。なお、前記振動板６と固定極７とは、図には現われていないがリング状のスペーサを介して対峙しており、この構成により振動板６に成膜された電極膜（図示せず）と固定極７との間でコンデンサが形成される。そして、この実施の形態においては、例えば固定極７側に誘電体膜が形成されてバックエレクトレット方式によるエレクトレットコンデンサマイクロホンユニットが構成されている。
【００２７】
前記固定極７の背面には、樹脂素材により形成された絶縁座８が配置されている。この絶縁座８の周縁は、ユニットケース２の前面側に向かって起立しており、この起立部８ａに前記固定極７の周囲が嵌め込まれて、固定極７をユニットケース２の前面側に向かって押さえ付けている。そして、固定極７の背面と絶縁座８との間には隙間が形成されて、この隙間が背部空気室８ｂを形成している。また、絶縁座８には背部空気室８ｂをユニットケース２の前記した後部音響端子孔４に連通させる複数の連通孔８ｃが周方向に沿って形成されている。
なお、前記固定極７には周知のとおり、全面にわたって小径の開口（図示せず。）が施されている。
【００２８】
また絶縁座８の中央部には、その背面側に向かって円筒部８ｄが立設されている。そして円筒部８ｄの内面には、金属素材により形成されたロッド状の固定極引出し端子９の先端部が嵌め込まれて取り付けられている。この固定極引出し端子９と前記した固定極７の間には、図には示されていないがリード線が接続されており、固定極引出し端子９は固定極７に生成される信号電圧を、コンデンサマイクロホンユニット１に搭載された図示せぬＦＥＴ等によるインピーダンス変換回路に供給するように作用する。
【００２９】
前記絶縁座８の円筒部８ｄに、底部開口が嵌め込まれた状態でカップ部材１１が収容されており、このカップ部材１１はその開口縁がリング部材１２によって押さえられてユニットケース２内に取り付けられている。すなわち、前記ユニットケース２の内周面には周に沿って雌捩子が捩子切りされており、前記リング部材１２がユニットケース２の内周面に螺合することにより、カップ部材１１がユニットケース２内に取り付けられている。
【００３０】
カップ部材１１の下底面と絶縁座８との間には、ドーナツ状に成形された第１音響抵抗体１３が、絶縁座８に形成された連通孔８ｃを閉塞するようにして配置されている。
したがって、前記リング部材１２のユニットケース２に対する螺合の度合いに応じて、カップ部材１１は軸方向に移動し、第１音響抵抗体１３の物理的な密度を調整することができる。これにより、背部空気室８ｂに加わる後部音響端子孔４からの双指向性成分を調整することができる。
【００３１】
一方、前記したロッド状の固定極引出し端子９には、軸芯に沿って先端部から中央部付近に達する軸孔９ａが施されており、さらにこの軸孔９ａに直交して径方向に連通する交差孔９ｂが施されている。この軸孔９ａと交差孔９ｂとによる連通路は、絶縁座８に形成された背部空気室８ｂと、カップ部材１１内に形成される後述する第２空気室１６とを連通し、音響質量（イナータンス）として効果的に作用するものとなる。
【００３２】
そして、ユニットケース２に螺合された前記リング部材１２のさらに後部には、円筒状の短軸部材１４がユニットケース２に螺合されており、この円筒状の短軸部材１４には、中央部に開口１５ａが施された蓋体１５が取り付けられている。
前記蓋体１５の中央開口１５ａに、固定極引出し端子９が通されて蓋体１５がカップ部材１１を閉塞しており、カップ部材１１とこれを閉塞する蓋体１５とにより前記した第２空気室１６が形成されている。すなわち、第２空気室１６はユニットケース２に背部空気室８ｂとは別に備える空気室である。
【００３３】
前記固定極引出し端子９の交差孔９ｂ付近を覆うようにして、ドーナツ状に形成された第２音響抵抗体１８が装着されている。すなわち第２音響抵抗体１８は、その中心孔に前記した固定極引出し端子９が挿入されることで、固定極引出し端子９に取り付けられている。そして、第２音響抵抗体１８は、固定極引出し端子９の外周面に施された雄捩子に螺合するアジャストリング１７と、前記絶縁座８に形成された円筒部８ｄの端部との間で、前記第２音響抵抗体１８が挟まれた状態で配置されている。
【００３４】
これにより、前記背部空気室８ｂと第２空気室１６との間に、軸孔９ａと交差孔９ｂとによる連通路を介して第２音響抵抗体１８が介在されている。そして、固定極引出し端子９に対するアジャストリング１７の螺合の度合いに応じて、第２音響抵抗体１８の物理的な密度を調整することができる。それ故、第２音響抵抗体１８は背部空気室８ｂに加わる第２空気室１６からの無指向性成分を調整することができる。
【００３５】
図１に示したコンデンサマイクロホンユニット１においては、金属製の固定極引出し端子９に施された軸孔９ａと交差孔９ｂによる連通路は、極めて細径のパイプとして機能し、これが前記したとおり音響質量として作用することになる。
図５は、図１に示したコンデンサマイクロホンユニット１の音響的な等価回路を示しており、この等価回路には図９に示した等価回路に、軸孔９ａと交差孔９ｂによる音響質量ｍ２が加わった状態となる。
この図５に示す等価回路によると、前記音響質量ｍ２による等価的なコイルＬと、第２空気室１６のスチフネスｓ２による等価的なコンデンサＣとによるローカットフィルタが音響回路に形成される。
【００３６】
これにより、軸孔９ａと交差孔９ｂによる音響質量ｍ２を介して、第２空気室１６に入る低域成分は、実質的に低い周波数帯域に移動する。すなわち、無指向性成分が低い帯域に移動するので、例えば１ｋＨｚ程度の音声帯域における指向性には影響を与えることなく、低域の指向性成分を効果的に補足することができることになる。
【００３７】
図７に示す周波数応答特性は、その効果を裏付けるものであり、図１０および図１１に示したグラフと同様に、特性Ａ〜Ｃは収音軸に対するそれぞれの角度が０度、９０度、１８０度の特性を示している。
なお図７は、音響質量ｍ２として機能する連通路（パイプ）の開口径を０．２ｍｍ、その長さを３．５ｍｍに設定し、さらに第２空気室１６の容積を０．２７ｍｌに設定した場合の周波数応答特性を示している。
【００３８】
図７に示す実測値に示されているように、第２空気室１６は図１に示すように小さな容積の状態のまま、低域の周波数応答を改善することが可能となる。
すなわち、第２空気室１６の容積を小さく設計することができるので、小型にして低域の周波数応答を改善することができると共に、近接効果が低減されたコンデンサマイクロホンユニットを実現することが可能となる。
【００３９】
図２はこの発明に係る単一指向性コンデンサマイクロホンの第２の実施の形態を示している。この第２の実施の形態においては、ロッド状の固定極引出し端子９の側面に、先端部から中央部付近に達する溝孔９ｃが施されている。なお他の構成は図１に示した第１の実施の形態と変わるところはなく、相当する部分を同一符号で示し、その詳細な説明は省略する。
【００４０】
この第２の形態によると、固定極引出し端子９への溝孔９ｃの形成部分が、絶縁座８に一体成形された円筒部８ｄに嵌め込まれて取り付けられることで、前記溝孔９ｃは円筒部８ｄとの間で細径の連通孔を構成している。この細径の連通孔が前記した音響質量ｍ２として作用し、図５に示した例と同様の音響的な等価回路が形成される。
したがって、図２に示した第２の実施の形態においても、図１に示した第１の実施の形態と同様の作用効果を得ることができる。
【００４１】
図３はこの発明に係る単一指向性コンデンサマイクロホンの第３の実施の形態を示している。この第３の実施の形態においては、ロッド状の固定極引出し端子９の円柱面に沿って、螺旋状の溝孔９ｄが、その先端部から中央部付近に達するように施されている。なお他の構成は図１に示した第１の実施の形態と変わるところはなく、相当する部分を同一符号で示し、その詳細な説明は省略する。
【００４２】
この第３の形態によると、固定極引出し端子９への螺旋状の溝孔９ｄの形成部分が、絶縁座８に一体成形された円筒部８ｄに嵌め込まれて取り付けられることで、螺旋状の溝孔９ｄは円筒部８ｄとの間で細径の連通孔を構成している。この細径の連通孔が前記した音響質量ｍ２として作用し、図５に示した例と同様の音響的な等価回路が形成される。
【００４３】
この第３の形態によると、固定極引出し端子９に螺旋状の溝孔９ｄを施すことで、より長い細径の連通孔を形成することができ、これによると図５に示した等価回路において、より大きな値の音響質量ｍ２が加わることになる。
したがって、この音響質量ｍ２によって得られる等価的なコイルＬの値も増加し、より顕著な低域の改善特性に寄与することができる。
【００４４】
図４（Ａ）〜（Ｅ）は、固定極引出し端子９に施される軸孔もしくは溝孔の構成例を、模式的に示したものであり、これらは固定極引出し端子９をその先端部側から見た状態で示している。
（Ａ）は、固定極引出し端子９の軸芯沿って軸孔９ａと、この軸孔９ａに直交して径方向に連通する交差孔９ｂを施した例を示しており、これは図１に示した実施の形態において採用されている。
（Ｂ）は、固定極引出し端子９の側面に、軸方向に沿って溝孔９ｃを施した例を示しており、これは図２に示した実施の形態において採用されている。
【００４５】
（Ｃ）は、固定極引出し端子９に、前記（Ａ）に示す軸孔９ａと交差孔９ｂ、さらに（Ｂ）に示す溝孔９ｃを施した例を示しており、これによると、それぞれの軸孔および溝孔による音響質量ｍ２ａおよびｍ２ｂが、並列に配列されたものとなる。
したがって、その音響的な等価回路は図６に示すように、各音響質量ｍ２ａおよびｍ２ｂによる等価的なコイルＬが並列接続されたものとなる。
【００４６】
（Ｄ）は、前記した（Ｃ）に示す構成に対して、溝孔９ｃを施す位置を周方向に９０度ずらしたものであり、その音響的な等価回路は図６に示す例とほぼ同様になる。
さらに（Ｅ）は、固定極引出し端子９の相対抗する側面（１８０度対向する側面）に、それぞれ溝孔９ｃを施したものであり、その音響的な等価回路は図６に示す例とほぼ同様になる。
【００４７】
以上説明したこの発明に係る単一指向性コンデンサマイクロホンユニットによると、固定極に生成される信号電圧を引き出す金属製の固定極引出し端子を利用して、細径の連通路を形成することで、背部空気室と第２空気室との間に音響質量（イナータンス）を配置した構成が採用される。
【００４８】
これにより、前記音響質量と第２空気室のスチフネスとにより構成されるローパスフィルタは、その遮断周波数を下げることができ、この結果、中域の周波数応答に影響を与えることなく、低域の周波数応答を改善したコンデンサマイクロホンユニットを提供することができるなど、前記した発明の効果の欄に記載したとおりの作用効果を得ることができる。
【符号の説明】
【００４９】
１      コンデンサマイクロホンユニット
２      ユニットケース
３      前面側開口（前部音響端子孔）
４      側面側開口（後部音響端子孔）
５      支持リング
６      振動板
７      固定極
８      絶縁座
８ａ    起立部
８ｂ    背部空気室
８ｃ    連通孔
８ｄ    円筒部
８ｅ    透孔
９      固定極引出し端子
９ａ    軸孔（連通路）
９ｂ    交差孔（連通路）
９ｃ    溝孔（連通路）
９ｄ    螺旋状溝孔（連通路）
１１    カップ部材
１２    リング部材
１３    第１音響抵抗体
１４    短軸部材
１５    蓋体
１５ａ  中央開口
１６    第２空気室
１７    アジャストリング
１８    第２音響抵抗体
【図１】
2018032895.tif 000003
【図２】
2018032895.tif 000004
【図３】
2018032895.tif 000005
【図４】
2018032895.tif 000006
【図５】
2018032895.tif 000007
【図６】
2018032895.tif 000008
【図７】
2018032895.tif 000009
【図８】
2018032895.tif 000010
【図９】
2018032895.tif 000011
【図１０】
2018032895.tif 000012
【図１１】
2018032895.tif 000013